(57)【特許請求の範囲】
【請求項１】
建築物の外壁としてモルタルが塗布される際にその下部に設置され、鋼板を折り曲げて形成されるモルタル用水切材であって、
モルタル塗布時のベースとなるシート状の支持材がその前面に設置される第１垂直部と、
前記第１垂直部の下部に接続されて前方下方に傾斜して延び、その上面に塗布されたモルタルの下端が位置する第１傾斜部と、
前記第１傾斜部の下部に接続されて垂直下方に延びる第２垂直部と、
前記第２垂直部の下部に接続されて前方下方に傾斜して延びる第２傾斜部と、
前記第２傾斜部の下部に接続されて垂直下方に延びる第３垂直部と、
少なくとも前記第２垂直部及び前記第２傾斜部の外面に脱着自在に貼り付けられた保護テープとを備え、
前記第２垂直部の垂直長さは、モルタル塗布時のコテの一部をガイドすることができる大きさとして５〜１００ｍｍに設定される、モルタル用水切材。
【請求項２】
前記第１垂直部の両面及び前記第１傾斜部の前面に貼り付けられた絶縁テープを更に備えた、請求項１記載のモルタル用水切材。
【発明の詳細な説明】
【技術分野】
【０００１】
この発明はモルタル用水切材に関し、特に建築物の外壁としてモルタルが塗布される際にその下部に設置されて用いられるモルタル用水切材に関するものである。
【背景技術】
【０００２】
図９は、特許文献１で開示された通気用水切り板の断面図であり、図１０は、図９で示した通気用水切り板を建築物の外壁に設置したときの概略断面図である。
【０００３】
これらの図を参照して、通気用水切り板７１は、外壁材７５がその前面に設置される垂直部８１と、垂直部８１の上部に前面側に折り返すようにして形成された折り返し部７８と、垂直部８１の下部に接続されて前面側に略水平に延びる略水平部８２と、略水平部８２の前面部に接続されて下方に一段下がる段差部８３と、段差部８３の下部に接続されて下方に適宜角度で傾斜して延びるテーパ部８４と、テーパ部８４の下部に接続されて垂直下方に延びる垂下片８５と、垂下片８５の下部に後面側に折り返すようにして形成された折り返し部７９とから構成される。
【０００４】
設置に際して、図１０を参照して、通気用水切り板７１は、垂直部８１を介して通気用受材７６に釘で固定される。通気用水切り板７１の垂直部８１の前面には、外壁材７５が設置される。この外壁材７５の前面及び通気用水切り板７１の略水平部８２の上面に、外壁２となるモルタル４が塗布される。
【０００５】
使用に際して、外壁２から伝わった雨は、通気用水切り板７１の段差部８３、テーパ部８４及び垂下片８５を伝わり、下方にある下屋７２へ流れていくことになる。すなわち、通気用水切り板７１によって、外壁２から伝わった雨の建築物１内部への侵入を防止できることになる。
又、通気用水切り板７１の折り返し部７９の下部と、建築物１の下屋７２の板金下地材７３に固定設置された雨押さえ板金７４との間を介して、外気は、外壁用下地材７７に貼着された透湿防水シート４１に固定された通気用受材７６によって確保された通気層３８へ出入り自在に通気できるようになっている。
【先行技術文献】
【特許文献】
【０００６】
【特許文献１】特開２００２−３４８９７４号公報
【発明の概要】
【発明が解決しようとする課題】
【０００７】
上記のような従来の通気用水切り板７１では、建築物１の外壁２としてモルタル４を塗布する際に問題が生じる虞がある。
【０００８】
ここで、モルタル４を塗布する際の通気用水切り板７１における問題点について説明する。
【０００９】
図１０を参照して、モルタル４は、外壁材７５の前面及び通気用水切り板７１の略水平部８２の上面に塗布される。このとき、略水平部８２との接続位置にある段差部８３は、モルタル４の塗布厚さを示す目安として使用されていたが、モルタル４の塗布を容易にするものではなかった。
【００１０】
又、モルタル４を塗布する際に、モルタル４が飛散して、通気用水切り板７１の段差部８３やテーパ部８４等に付着する虞があった。付着したモルタル４は直ぐに固形化するため、取りにくく、又、美観上好ましいものではなかった。
【００１１】
この発明は、上記のような課題を解決するためになされたもので、モルタル施工が効率化すると共に、仕上がり状態の美観を保持するモルタル用水切材を提供することを目的とする。
【課題を解決するための手段】
【００１２】
上記の目的を達成するために、請求項１記載の発明は、建築物の外壁としてモルタルが塗布される際にその下部に設置され、鋼板を折り曲げて形成されるモルタル用水切材であって、モルタル塗布時のベースとなるシート状の支持材がその前面に設置される第１垂直部と、第１垂直部の下部に接続されて前方下方に傾斜して延び、その上面に塗布されたモルタルの下端が位置する第１傾斜部と、第１傾斜部の下部に接続されて垂直下方に延びる第２垂直部と、第２垂直部の下部に接続されて前方下方に傾斜して延びる第２傾斜部と、第２傾斜部の下部に接続されて垂直下方に延びる第３垂直部と、少なくとも第２垂直部及び第２傾斜部の外面に脱着自在に貼り付けられた保護テープとを備え、第２垂直部の垂直長さは、モルタル塗布時のコテの一部をガイドすることができる大きさとして５〜１００ｍｍに設定されるものである。
【００１３】
このように構成すると、第２垂直部は、モルタル塗布の基準になると共に、保護テープが飛散したモルタルの付着を防止する。
【００１５】
請求項２記載の発明は、請求項１記載の発明の構成において、第１垂直部の両面及び第１傾斜部の前面に貼り付けられた絶縁テープを更に備えたものである。
【００１６】
このように構成すると、第１垂直部及び第１傾斜部が、建築材料の有害成分による腐食から保護される。
【発明の効果】
【００１７】
以上説明したように、請求項１記載の発明は、第２垂直部は、モルタル塗布の基準になると共に、保護テープが飛散したモルタルの付着を防止するため、モルタル施工がより効率化すると共に仕上がり状態の美観を保持する。
【００１９】
請求項２記載の発明は、請求項１記載の発明の効果に加えて、第１垂直部及び第１傾斜部が、建築材料の有害成分による腐食から保護されるため、モルタル用水切材の耐久性が向上する。
【図面の簡単な説明】
【００２０】
【図１】この発明の第１の実施の形態によるモルタル用水切材の概略正面図である。
【図２】図１で示したＩＩ−ＩＩラインから見た拡大断面図であって、図９に対応した図である。
【図３】図１で示したモルタル用水切材を建築物の外壁に設置したときの一部破断の概略斜視図である。
【図４】図１で示したモルタル用水切材を建築物の外壁に設置したときの概略断面図である。
【図５】図４で示したＶ−Ｖラインから見た断面図である。
【図６】図１で示したモルタル用水切材の設置工程の一部を示す概略工程断面図である。
【図７】図６で示した概略工程に続くモルタル用水切材の概略工程の他の一部であって、図６で示した“Ｘ”部分の拡大断面図である。
【図８】この発明の第２の実施の形態によるモルタル用水切材の概略断面図であって、図４に対応した図である。
【図９】特許文献１で開示された通気用水切り板の断面図である。
【図１０】図９で示した通気用水切り板を建築物の外壁に設置したときの概略断面図である。
【発明を実施するための形態】
【００２１】
図１は、この発明の第１の実施の形態によるモルタル用水切材の概略正面図であり、図２は、図１で示したＩＩ−ＩＩラインから見た拡大断面図であって、図９に対応した図である。
【００２２】
これらの図を参照して、モルタル用水切材１１は、正面視長尺の矩形形状の鋼板素材からなる平板を折り曲げて形成される水切本体１６と、水切本体１６の上方位置の両面に貼り付けられた後述する絶縁テープ２９及び絶縁テープ３０と、水切本体１６の下方位置の前面に脱着自在に貼り付けられた保護テープ２８とから構成される。
【００２３】
モルタル用水切材１１の水切本体１６は、図２を参照して、後述する裏打ち材（図示せず）がその前面に設置される第１垂直部２１と、第１垂直部２１の下部に接続されて前方下方に傾斜して延び、その上面に塗布される後述するモルタル（図示せず）の下端が位置する第１傾斜部２２と、第１傾斜部２２の下部に接続されて垂直下方に延びる第２垂直部２３と、第２垂直部２３の下部に接続されて前方下方に傾斜して延びる第２傾斜部２４と、第２傾斜部２４の下部に接続されて垂直下方に延びる第３垂直部２５と、第３垂直部２５の下部に後面側に折り返すようにして形成された折り返し部１９とから構成される。尚、折り返し部１９により、水切本体１６の曲げ強度が高まり、耐久性を向上させている。又、モルタル用水切材１１の後述する設置の際に、折り返し部１９によって端部に丸みを持たせたことで、安全な施工を実現できるようになっている。
【００２４】
ここで、第１垂直部２１と第１傾斜部２２とのなす角θ１、第１傾斜部２２と第２垂直部２３とのなす角θ２、第２垂直部２３と第２傾斜部２４とのなす角θ３、及び、第２傾斜部２４と第３垂直部２５とのなす角θ４は、各々１２０度に設定されている。第１傾斜部２２の水平長さＬ１は、１３ｍｍであり、第２傾斜部２４の水平長さＬ２は、９ｍｍである。第１垂直部２１の垂直長さＨ１は、６０ｍｍであり、第２垂直部２３の垂直長さＨ２は、１０ｍｍであり、第３垂直部２５の垂直長さＨ３は、３０ｍｍである。尚、第２垂直部２３の垂直長さＨ２は、５〜１００ｍｍの範囲内で設定することが好ましいが、施工上の観点からは、５〜５０ｍｍの範囲内で設定することがより好ましい。このように設定する理由については、後述する。
【００２５】
モルタル用水切材１１の絶縁テープ２９は、水切本体１６の第１垂直部２１の後面に貼り付けられている。絶縁テープ２９が果たす機能については、後述する。
【００２６】
モルタル用水切材１１の絶縁テープ３０は、水切本体１６の第１垂直部２１の前面及び水切本体１６の第１傾斜部２２の前面に貼り付けられている。絶縁テープ３０が果たす機能については、後述する。
【００２７】
モルタル用水切材１１の保護テープ２８は、水切本体１６の第２垂直部２３の前面、水切本体１６の第２傾斜部２４の前面（上面）、及び、水切本体１６の第３垂直部２５の前面に脱着自在に貼り付けられている。保護テープ２８が果たす機能については、後述する。
【００２８】
次に、モルタル用水切材１１を建築物の外壁に設置したときの状態について説明する。
【００２９】
図３は、図１で示したモルタル用水切材を建築物の外壁に設置したときの一部破断の概略斜視図であり、図４は、図１で示したモルタル用水切材を建築物の外壁に設置したときの概略断面図であり、図５は、図４で示したＶ−Ｖラインから見た断面図である。
【００３０】
これらの図を参照して、建築物１は、基礎６２の上部に土台６３が形成され、土台６３に支持された柱や間柱等の構造材５０によって、骨組が建築されている。断熱材４８は、構造材５０間に設置されている。床材６６や、構造材５０に設置された内装材６９によって、建築物１内部の居住空間が形成される。
【００３１】
一方、建築物１の外壁２側では、構造用合板４４は、土台６３及び構造材５０に固定設置されており、その前面には透湿防水シート４１が設置されている。胴縁３７が、構造用合板４４及び透湿防水シート４１を介して、釘等（図示せず）で構造材５０に所定間隔で固定されている。この胴縁３７の下方前面に、モルタル用水切材１１が設置されている。尚、モルタル用水切材１１の設置に関する詳細については、後述する。モルタル用水切材１１及び胴縁３７の前面に、後述するモルタル塗布時のベースとなるシート状の支持材である裏打ち材３３及びリブラス３４が設置されている。そして、建築物１の外壁２としてモルタル４が、裏打ち材３３（リブラス３４）の前面及びモルタル用水切材１１の上面に塗布されている。
【００３２】
図４を参照して、外気は、モルタル用水切材１１の下端と基礎６２との間から入り、土台６３に設置された構造用合板４４の下端付近を通って、透湿防水シート４１とモルタル用水切材１１との間に形成された胴縁３７間の通気層３８へと、図４で示した矢印の方向に通気できるようになっている。又、矢印とは逆方向への通気も可能である。
【００３３】
図６は、図１で示したモルタル用水切材の設置工程の一部を示す概略工程断面図であり、図７は、図６で示した概略工程に続くモルタル用水切材の概略工程の他の一部であって、図６で示した“Ｘ”部分の拡大断面図である。
【００３４】
設置に際して、まず図６の（１）を参照して、モルタル用水切材１１を、図６の（１）で示した一点鎖線の矢印の方向へ、建築物１の胴縁３７に釘等で固定設置する。ここで、第１垂直部２１の背面位置にある絶縁テープ２９（図２参照）は、胴縁３７に当接することになる。よって、この絶縁テープ２９により、第１垂直部２１が胴縁３７と直接触れることがなくなるので、胴縁３７に含まれる建築材料の防腐防蟻処理薬剤等の塗膜や鋼板に有害な成分等による腐食から第１垂直部２１が保護される。従って、モルタル用水切材１１の耐久性が向上することになる。
【００３５】
次に、裏打ち材３３及びリブラス３４を、図６の（１）で示した実線の矢印の方向へ、胴縁３７及びモルタル用水切材１１の前面に設置する。
【００３６】
図６の（２）を参照して、モルタル用水切材１１、裏打ち材３３及びリブラス３４が、建築物１の胴縁３７に設置された状態を示している。ここで、後述するモルタル４（図示せず）を、モルタル用水切材１１の第１傾斜部２２に位置する絶縁テープ３０の上面に、図６の（２）で示した一点鎖線の位置まで塗布する。
【００３７】
ここで、モルタル塗布の詳細について説明する。
【００３８】
図７の（１）を参照して、コテ６を用いて、モルタル４を裏打ち材３３及びリブラス３４に対して塗布し、モルタル用水切材１１の第１傾斜部２２に位置する絶縁テープ３０の上面まで塗布する。このとき、コテ６の塗布面７の一部が、モルタル用水切材１１の第２垂直部２３の前面に係合できるように第２垂直部２３の垂直長さＨ２が形成されている。このように構成したことで、モルタル塗布時のコテ６の一部を第２垂直部２３がガイドすることができ、第２垂直部２３はモルタル塗布の基準になる。よって、モルタル施工が効率化する。又、図２で示したように垂直長さＨ２を、５〜１００ｍｍの範囲内で形成することにより、コテ６の塗布面７がモルタル用水切材１１の第２垂直部２３により係合しやすくなり、モルタル施工がより効率化する。
【００３９】
尚、モルタル用水切材１１の絶縁テープ３０は、裏打ち材３３と当接するので、裏打ち材３３に含まれる防腐防蟻処理薬剤等の塗膜や鋼板に有害な成分等による腐食から、モルタル用水切材１１を保護することになる。又、第１傾斜部２２の上面の絶縁テープ３０は、モルタル４とも当接するので、同様に、モルタル４の腐食成分からモルタル用水切材１１を保護することになり、モルタル用水切材１１の耐久性が向上する。
【００４０】
次に、図７の（２）を参照して、モルタル４を塗布する際に、図７の（１）で示したコテ６を第２垂直部２３に係合させるため、第２垂直部２３及び第２傾斜部２４等に位置する保護テープ２８に、飛散したモルタル５が付着することがある。
【００４１】
図７の（３）を参照して、モルタル塗布を終えた後に、飛散したモルタル５の付着した保護テープ２８をモルタル用水切材１１から、図７の（３）の実線の矢印で示したようにはがす。これにより、保護テープ２８が飛散したモルタル５の水切本体１６への付着を防止することになり、モルタル用水切材１１及びモルタル４の仕上がり状態の美観を保持することになる。
【００４２】
図８は、この発明の第２の実施の形態によるモルタル用水切材の概略断面図であって、図４に対応した図である。
【００４３】
尚、この第２の実施の形態によるモルタル用水切材１２は、図１で示したモルタル用水切材１１と同一の構成である。ここでは、その相違点を中心に説明する。
【００４４】
図を参照して、建築物１において、図４で示した構造用合板４４は設置されていない。モルタル用水切材１２は、図４で示したモルタル用水切材１１と同様に、胴縁３７の下方前面に設置されている。
【００４５】
尚、上記の各実施の形態では、モルタル用水切材は、鋼板等の特定の材質のプレス加工から形成されたものであったが、合成樹脂による押出成形等の他の材質から形成されたものであっても良い。
【００４６】
又、上記の各実施の形態では、モルタル用水切材は、１枚の平板を折り曲げて形成されたものであったが、複数の部材を接続して形成されたものであっても良い。
【００４７】
更に、上記の各実施の形態では、保護テープは、モルタル用水切材の第３垂直部の外面（前面に対応）にも貼り付けられたものであったが、少なくとも第２垂直部及び第２傾斜部の外面（前面に対応）に脱着自在に貼り付けられるものであれば良い。
【００４８】
更に、上記の各実施の形態では、モルタル用水切材の第２垂直部の垂直長さは、特定長さであったが、少なくともモルタル塗布時のコテの一部をガイドすることができる大きさであれば、他の長さであっても良い。
【００４９】
更に、上記の各実施の形態では、絶縁テープは、モルタル用水切材の第１垂直部の両面及び第１傾斜部の前面に貼り付けられたものであったが、例えば第１傾斜部の前面のように部分的に貼り付けられていなくても良い。又は、絶縁テープはなくても良い。
【００５０】
更に、上記の各実施の形態では、折り返し部が形成されたものであったが、折り返し部はなくても良い。
【００５１】
更に、上記の各実施の形態では、第１垂直部と第１傾斜部とのなす角、第１傾斜部と第２垂直部とのなす角、第２垂直部と第２傾斜部とのなす角、及び、第２傾斜部と第３垂直部とのなす角は、各々１２０度の特定角度であったが、各々異なっていても良い。又は、各々他の角度であっても良い。
【００５２】
更に、上記の各実施の形態では、第１傾斜部の水平長さ、第２傾斜部の水平長さ、第１垂直部の垂直長さ、第３垂直部の垂直長さは、各々特定長さであったが、各々他の長さであっても良い。
【符号の説明】
【００５３】
１…建築物
２…外壁
４…モルタル
６…コテ
１１、１２…モルタル用水切材
２１…第１垂直部
２２…第１傾斜部
２３…第２垂直部
２４…第２傾斜部
２５…第３垂直部
２８…保護テープ
２９、３０…絶縁テープ
尚、各図中同一符号は同一又は相当部分を示す。
【要約】
【課題】  モルタル施工が効率化すると共に、仕上がり状態の美観を保持するモルタル用水切材を提供する。
【解決手段】  モルタル用水切材１１の水切本体１６は、第１垂直部２１と、第１傾斜部２２と、第２垂直部２３と、第２傾斜部２４と、垂直部２５と、折り返し部１９とから構成される。モルタル用水切材１１は、水切本体１６と、第１垂直部２１の後面に貼り付けられた絶縁テープ２９と、第１垂直部２１及び第１傾斜部２２の前面に貼り付けられた絶縁テープ３０と、第２垂直部２３、第２傾斜部２４及び第３垂直部２５の前面に脱着自在に貼り付けられた保護テープ２８とから構成される。これにより、第２垂直部２３がモルタル塗布の基準になると共に、保護テープ２８が飛散したモルタル（図示せず）の付着を防止するため、モルタル施工が効率化すると共に、仕上がり状態の美観を保持する。
【選択図】  図２【図１】
0005555800.tif 000002
【図２】
0005555800.tif 000003
【図３】
0005555800.tif 000004
【図４】
0005555800.tif 000005
【図５】
0005555800.tif 000006
【図６】
0005555800.tif 000007
【図７】
0005555800.tif 000008
【図８】
0005555800.tif 000009
【図９】
0005555800.tif 000010
【図１０】
0005555800.tif 000011